(57)【要約】【課題】本発明は航海灯を開示した。【解決手段】本発明は航海灯を公示し、下台座を含み、前記下台座と甲板との間には支持棒が固定的に連結され、前記下台座の上方には上台座が設置され、前記下台座の右端面と前記上台座とは連結アームで固定され、前記連結アームの中には角度調節機構が設置され、前記角度調節機構は装置の照明角度を調節でき、前記下台座の中には上方に開口したの第一スライドチャンバ環状空きチャンバが設置され、本装置の航海灯は、反応が素早く、探知用の照明灯モードと普通の照明灯モードとを切り替えることができ、豊かな機能を有し、また、本発明の装置は、ガラスシェードが自動的に収納でき、安全で丈夫であり、使用寿命も長い。【選択図】図１
2020184511.tif 000002
【特許請求の範囲】
【請求項１】
正面視で、下台座を含み、前記下台座と甲板との間には支持棒が固定的に連結され、前記下台座の上方には上台座が設置され、前記下台座の右端面と前記上台座とは連結アームで固定され、前記連結アームの中には角度調節機構が設置され、前記角度調節機構は装置の照明角度を調節でき、前記下台座の中には上方に開口したの第一スライドチャンバ環状空きチャンバが設置され、前記第一スライドチャンバ環状空きチャンバの底壁中心には第一円柱が固定的に設置され、前記第一円柱の外表面と前記第一スライドチャンバ環状空きチャンバの内壁との間にはガラス筒がスライド可能に設置され、前記ガラス筒は前記上台座の底面と接触しており、前記ガラス筒の外表面には第一ラックが左右対称に、且つ固定的に設置され、前記第一円柱の頂面には負極接点が固定的に設置され、前記ガラス筒と前記第一スライドチャンバ環状空きチャンバの底壁との間には第一ばねが連結され、前記上台座の中には下方に開口した第二スライドチャンバが設置され、前記第二スライドチャンバの頂壁には電磁石が固定的に設置され、前記第二スライドチャンバの頂壁中心には第二円柱が固定的に設置され、前記第二円柱の底面には正極接点が固定的に設置され、前記正極接点と負極接点との間には第一灯管が通電可能に連結され、通常に前記第一灯管は独自で発光し、前記ガラス筒とともに照明灯として働き、前記第二円柱の外表面と前記第二スライドチャンバの内壁との間には環状導電金属片が上下対称に、且つスライド可能に設置され、二つの前記環状導電金属片の間には第二灯管が通電可能に連結され、前記第二スライドチャンバの下側にある前記環状導電金属片は前記ガラス筒の頂面と接触しており、前記第二スライドチャンバの上側にある前記環状導電金属片の頂面には前記電磁石と排斥する環状磁石が固定的に設置され、前記環状磁石と前記電磁石の底面との間には第二ばねが連結され、前記電磁石は前記環状磁石を排斥して前記環状磁石に前記環状導電金属片を連動させて前記ガラス筒を圧迫させることができ、そして、前記ガラス筒は前記第一スライドチャンバ環状空きチャンバの中に収納されるまで下へ滑り、同時に前記正極接点と前記負極接点とは二つの前記環状導電金属片とそれぞれ接触し、且つ通電可能になり、前記電磁石の頂壁には測風輪作動機構が設置され、前記測風輪作動機構が風速が大きい状況で前記電磁石を通電状態にし、且つ前記電磁石に前記環状磁石を排斥させることができ、前記第一スライドチャンバ環状空きチャンバの外側端壁には上方に開口した第一環状スライド溝が設置され、前記第一スライドチャンバ環状空きチャンバの中には環状スライドブロックがスライド可能に設置され、前記環状スライドブロックの中には上方に開口にた第二環状スライド溝が設置され、前記第二環状スライド溝の中には円筒が回転可能に設置され、前記円筒の内壁には反射鏡が固定的に設置され、前記反射鏡と前記円筒の後側端壁とには前後貫通した射光口が設置され、前記角度調節機構は前記円筒を回転させることで前記射光口を回転させ、これによって照明角度を調節でき、前記下台座の中には第一回転チャンバが左右対称に設置され、前記第一回転チャンバは前記第一スライドチャンバ環状空きチャンバと前記第一環状スライド溝とを連通しており、前記第一回転チャンバの中には第一回転軸が回転可能に設置され、前記第一回転軸には前記第一ラックと噛み合った歯車が固定的に設置され、前記環状スライドブロックの頂面には前記歯車と噛み合った第二ラックが固定的に設置され、前記反射鏡が上へ滑り、前記上台座と前記下台座との間に滑った時に前記反射鏡は前記第一灯管と前記第二灯管とが放った光を反射し、最終的に光を射光口に集めて射出し、探知照明灯として働くことを特徴とする航海灯。
【請求項２】
前記角度調節機構は前記連結アームの中に左右貫通するように設置された第二回転チャンバを含み、前記第二回転チャンバの中には第二回転軸が回転可能に設置され、前記第二回転軸には前記円筒の外表面と接触可能な摩擦輪が固定的に設置され、前記摩擦輪の回転は前記円筒の回転を連動させ、前記円筒は前記射光口を回転させることによって照明角度を調節でき、前記連結アームの左端壁には前記正極接点及び前記負極接点と通電可能に連結された第一スイッチが固定的に設置されていることを特徴とする請求項１に記載の航海灯。
【請求項３】
前記測風輪作動機構は前記電磁石の頂壁に設置された第三回転チャンバを含み、前記第三回転チャンバの頂壁には上下に伸びた第三回転軸が回転可能に設置され、前記第三回転軸の頂端には測風輪が固定的に設置され、前記第三回転軸の底端には円盤が固定的に設置され、前記円盤の左右両端には第三ばねによって傾斜ブロックが連結され、前記第三回転チャンバの底壁左側には前記電磁石と通電可能に連結された第二スイッチが固定的に設置され、前記第二スイッチが押された時に、前記電磁石は通電状態になって前記環状磁石を排斥し、前記第三回転チャンバの左端壁には左右貫通した第四回転チャンバが設置され、前記第四回転チャンバの中には第四回転軸が回転可能に設置され、前記第四回転軸には長棒が固定的に設置され、前記長棒の底面右端には前記第二スイッチと接触した圧迫棒が固定的に設置されていることを特徴とする請求項１に記載の航海灯。
【発明の詳細な説明】
【技術分野】
【０００１】
本発明は照明器具分野を取り上げ、具体的には航海灯である。
【背景技術】
【０００２】
船舶が海上を進行する時に、船員の活動空間は基本的に甲板であり、そのため、夜になると、甲板に照明を行わなければならない。しかし、海上では、時に雲や雨で視界が制限され、また、海風の影響で船舶が揺れやすくなり、そのような時に、事故にならないよう、水面下や甲板の状況を照明器具で確認する必要がある。また、照明器具において、航海灯は反応が素早く、ランプシェードを保護し、使用寿命を延びさせることができる。そのため、航海灯を設計し、上記の問題を解決する必要がある。
【先行技術文献】
【特許文献】
【０００３】
【特許文献１】中国特許出願公開第１０３６９７３７０号明細書
【発明の概要】
【発明が解決しようとする課題】
【０００４】
本発明は航海灯を提供し、既存技術にある上記の欠点を解消することを目的とする。
【課題を解決するための手段】
【０００５】
本発明は以下の技術プランで実現する：本発明の航海灯は、下台座を含み、前記下台座と甲板との間には支持棒が固定的に連結され、前記下台座の上方には上台座が設置され、前記下台座の右端面と前記上台座とは連結アームで固定され、前記連結アームの中には角度調節機構が設置され、前記角度調節機構は装置の照明角度を調節でき、前記下台座の中には上方に開口したの第一スライドチャンバ環状空きチャンバが設置され、前記第一スライドチャンバ環状空きチャンバの底壁中心には第一円柱が固定的に設置され、前記第一円柱の外表面と前記第一スライドチャンバ環状空きチャンバの内壁との間にはガラス筒がスライド可能に設置され、前記ガラス筒は前記上台座の底面と接触しており、前記ガラス筒の外表面には第一ラックが左右対称に、且つ固定的に設置され、前記第一円柱の頂面には負極接点が固定的に設置され、前記ガラス筒と前記第一スライドチャンバ環状空きチャンバの底壁との間には第一ばねが連結され、前記上台座の中には下方に開口した第二スライドチャンバが設置され、前記第二スライドチャンバの頂壁には電磁石が固定的に設置され、前記第二スライドチャンバの頂壁中心には第二円柱が固定的に設置され、前記第二円柱の底面には正極接点が固定的に設置され、前記正極接点と負極接点との間には第一灯管が通電可能に連結され、通常に前記第一灯管は独自で発光し、前記ガラス筒とともに照明灯として働き、前記第二円柱の外表面と前記第二スライドチャンバの内壁との間には環状導電金属片が上下対称に、且つスライド可能に設置され、二つの前記環状導電金属片の間には第二灯管が通電可能に連結され、前記第二スライドチャンバの下側にある前記環状導電金属片は前記ガラス筒の頂面と接触しており、前記第二スライドチャンバの上側にある前記環状導電金属片の頂面には前記電磁石と排斥する環状磁石が固定的に設置され、前記環状磁石と前記電磁石の底面との間には第二ばねが連結され、前記電磁石は前記環状磁石を排斥して前記環状磁石に前記環状導電金属片を連動させて前記ガラス筒を圧迫させることができ、そして、前記ガラス筒は前記第一スライドチャンバ環状空きチャンバの中に収納されるまで下へ滑り、同時に前記正極接点と前記負極接点とは二つの前記環状導電金属片とそれぞれ接触し、且つ通電可能になり、前記電磁石の頂壁には測風輪作動機構が設置され、前記測風輪作動機構が風速が大きい状況で前記電磁石を通電状態にし、且つ前記電磁石に前記環状磁石を排斥させることができ、前記第一スライドチャンバ環状空きチャンバの外側端壁には上方に開口した第一環状スライド溝が設置され、前記第一スライドチャンバ環状空きチャンバの中には環状スライドブロックがスライド可能に設置され、前記環状スライドブロックの中には上方に開口にた第二環状スライド溝が設置され、前記第二環状スライド溝の中には円筒が回転可能に設置され、前記円筒の内壁には反射鏡が固定的に設置され、前記反射鏡と前記円筒の後側端壁とには前後貫通した射光口が設置され、前記角度調節機構は前記円筒を回転させることで前記射光口を回転させ、これによって照明角度を調節でき、前記下台座の中には第一回転チャンバが左右対称に設置され、前記第一回転チャンバは前記第一スライドチャンバ環状空きチャンバと前記第一環状スライド溝とを連通しており、前記第一回転チャンバの中には第一回転軸が回転可能に設置され、前記第一回転軸には前記第一ラックと噛み合った歯車が固定的に設置され、前記環状スライドブロックの頂面には前記歯車と噛み合った第二ラックが固定的に設置され、前記反射鏡が上へ滑り、前記上台座と前記下台座との間に滑った時に前記反射鏡は前記第一灯管と前記第二灯管とが放った光を反射し、最終的に光を射光口に集めて射出し、探知照明灯として働く。
【０００６】
優選的に、前記角度調節機構は前記連結アームの中に左右貫通するように設置された第二回転チャンバを含み、前記第二回転チャンバの中には第二回転軸が回転可能に設置され、前記第二回転軸には前記円筒の外表面と接触可能な摩擦輪が固定的に設置され、前記摩擦輪の回転は前記円筒の回転を連動させ、前記円筒は前記射光口を回転させることによって照明角度を調節でき、前記連結アームの左端壁には前記正極接点及び前記負極接点と通電可能に連結された第一スイッチが固定的に設置され、前記第一スイッチを押すことで、前記第一灯管は通電状態になり、発光する。
【０００７】
優選的に、前記測風輪作動機構は前記電磁石の頂壁に設置された第三回転チャンバを含み、前記第三回転チャンバの頂壁には上下に伸びた第三回転軸が回転可能に設置され、前記第三回転軸の頂端には測風輪が固定的に設置され、前記第三回転軸の底端には円盤が固定的に設置され、前記円盤の左右両端には第三ばねによって傾斜ブロックが連結され、前記第三回転チャンバの底壁左側には前記電磁石と通電可能に連結された第二スイッチが固定的に設置され、前記第二スイッチが押された時に、前記電磁石は通電状態になって前記環状磁石を排斥し、前記第三回転チャンバの左端壁には左右貫通した第四回転チャンバが設置され、前記第四回転チャンバの中には第四回転軸が回転可能に設置され、前記第四回転軸には長棒が固定的に設置され、前記長棒の底面右端には前記第二スイッチと接触した圧迫棒が固定的に設置され、前記測風輪の回転速度が大きい時に、前記傾斜ブロックは遠心力によって前記長棒を圧迫し、前記長棒は前記圧迫棒を下へ連動させ、前記圧迫棒に前記第二スイッチを圧迫させる。
【発明の効果】
【０００８】
要約すると、本装置の航海灯は、反応が素早く、探知用の照明灯モードと普通の照明灯モードとを切り替えることができ、豊かな機能を有し、また、本発明の装置は、ガラスシェードが自動的に収納でき、安全で丈夫であり、使用寿命も長い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の航海灯の全体構成略図
【図２】図２は図１におけるＡ―Ａの構成略図
【図３】図３は図１におけるＢ―Ｂの構成略図
【図４】図４は図１におけるＣの拡大構成略図
【図５】図５は図１におけるＤの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５が示したよう、本発明の航海灯は、下台座５４を含み、前記下台座５４と甲板との間には支持棒２５が固定的に連結され、前記下台座５４の上方には上台座３４が設置され、前記下台座５４の右端面と前記上台座３４とは連結アーム３２で固定され、前記連結アーム３２の中には角度調節機構９１が設置され、前記角度調節機構９１は装置の照明角度を調節でき、前記下台座５４の中には上方に開口したの第一スライドチャンバ環状空きチャンバ２３が設置され、前記第一スライドチャンバ環状空きチャンバ２３の底壁中心には第一円柱２６が固定的に設置され、前記第一円柱２６の外表面と前記第一スライドチャンバ環状空きチャンバ２３の内壁との間にはガラス筒２７がスライド可能に設置され、前記ガラス筒２７は前記上台座３４の底面と接触しており、前記ガラス筒２７の外表面には第一ラック２８が左右対称に、且つ固定的に設置され、前記第一円柱２６の頂面には負極接点２２が固定的に設置され、前記ガラス筒２７と前記第一スライドチャンバ環状空きチャンバ２３の底壁との間には第一ばね２４が連結され、前記上台座３４の中には下方に開口した第二スライドチャンバ１４が設置され、前記第二スライドチャンバ１４の頂壁には電磁石１３が固定的に設置され、前記第二スライドチャンバ１４の頂壁中心には第二円柱１９が固定的に設置され、前記第二円柱１９の底面には正極接点２０が固定的に設置され、前記正極接点２０と負極接点２２との間には第一灯管２１が通電可能に連結され、通常に前記第一灯管２１は独自で発光し、前記ガラス筒２７とともに照明灯として働き、前記第二円柱１９の外表面と前記第二スライドチャンバ１４の内壁との間には環状導電金属片１７が上下対称に、且つスライド可能に設置され、二つの前記環状導電金属片１７の間には第二灯管１８が通電可能に連結され、前記第二スライドチャンバ１４の下側にある前記環状導電金属片１７は前記ガラス筒２７の頂面と接触しており、前記第二スライドチャンバ１４の上側にある前記環状導電金属片１７の頂面には前記電磁石１３と排斥する環状磁石１６が固定的に設置され、前記環状磁石１６と前記電磁石１３の底面との間には第二ばね１５が連結され、前記電磁石１３は前記環状磁石１６を排斥して前記環状磁石１６に前記環状導電金属片１７を連動させて前記ガラス筒２７を圧迫させることができ、そして、前記ガラス筒２７は前記第一スライドチャンバ環状空きチャンバ２３の中に収納されるまで下へ滑り、同時に前記正極接点２０と前記負極接点２２とは二つの前記環状導電金属片１７とそれぞれ接触し、且つ通電可能になり、前記電磁石１３の頂壁には測風輪作動機構９０が設置され、前記測風輪作動機構９１が風速が大きい状況で前記電磁石１３を通電状態にし、且つ前記電磁石１３に前記環状磁石１６を排斥させることができ、前記第一スライドチャンバ環状空きチャンバ２３の外側端壁には上方に開口した第一環状スライド溝４３が設置され、前記第一スライドチャンバ環状空きチャンバ２３の中には環状スライドブロック４８がスライド可能に設置され、前記環状スライドブロック４８の中には上方に開口にた第二環状スライド溝４７が設置され、前記第二環状スライド溝４７の中には円筒４４が回転可能に設置され、前記円筒４４の内壁には反射鏡４５が固定的に設置され、前記反射鏡４５と前記円筒４４の後側端壁とには前後貫通した射光口５３が設置され、前記角度調節機構９１は前記円筒４４を回転させることで前記射光口５３を回転させ、これによって照明角度を調節でき、前記下台座５４の中には第一回転チャンバ５２が左右対称に設置され、前記第一回転チャンバ５２は前記第一スライドチャンバ環状空きチャンバ２３と前記第一環状スライド溝４３とを連通しており、前記第一回転チャンバ５２の中には第一回転軸５０が回転可能に設置され、前記第一回転軸５０には前記第一ラック２８と噛み合った歯車５１が固定的に設置され、前記環状スライドブロック４８の頂面には前記歯車５１と噛み合った第二ラック４６が固定的に設置され、前記反射鏡４５が上へ滑り、前記上台座３４と前記下台座５４との間に滑った時に前記反射鏡４５は前記第一灯管２１と前記第二灯管１８とが放った光を反射し、最終的に光を射光口５３に集めて射出し、探知照明灯として働く。
【００１３】
好ましくは、前記角度調節機構９１は前記連結アーム３２の中に左右貫通するように設置された第二回転チャンバ２９を含み、前記第二回転チャンバ２９の中には第二回転軸３１が回転可能に設置され、前記第二回転軸３１には前記円筒４４の外表面と接触可能な摩擦輪３０が固定的に設置され、前記摩擦輪３０の回転は前記円筒４４の回転を連動させ、前記円筒４４は前記射光口５３を回転させることによって照明角度を調節でき、前記連結アーム３２の左端壁には前記正極接点２０及び前記負極接点２２と通電可能に連結された第一スイッチ３３が固定的に設置され、前記第一スイッチ３３を押すことで、前記第一灯管２１は通電状態になり、発光する。
【００１４】
好ましくは、前記測風輪作動機構９０は前記電磁石１３の頂壁に設置された第三回転チャンバ５５を含み、前記第三回転チャンバ５５の頂壁には上下に伸びた第三回転軸１１が回転可能に設置され、前記第三回転軸１１の頂端には測風輪１０が固定的に設置され、前記第三回転軸１１の底端には円盤１２が固定的に設置され、前記円盤１２の左右両端には第三ばね４１によって傾斜ブロック４２が連結され、前記第三回転チャンバ５５の底壁左側には前記電磁石１３と通電可能に連結された第二スイッチ４０が固定的に設置され、前記第二スイッチ４０が押された時に、前記電磁石１３は通電状態になって前記環状磁石１６を排斥し、前記第三回転チャンバ５５の左端壁には左右貫通した第四回転チャンバ３６が設置され、前記第四回転チャンバ３６の中には第四回転軸３７が回転可能に設置され、前記第四回転軸３７には長棒３８が固定的に設置され、前記長棒３８の底面右端には前記第二スイッチ４０と接触した圧迫棒３９が固定的に設置され、前記測風輪１０の回転速度が大きい時に、前記傾斜ブロック４２は遠心力によって前記長棒３８を圧迫し、前記長棒３８は前記圧迫棒３９を下へ連動させ、前記圧迫棒３９に前記第二スイッチ４０を圧迫させる。
【００１５】
下記に、附図及び前述した具体的構成を参照し、本発明の使用方法について詳しく説明する：
【００１６】
外部の風速が小さい時、前記測風輪１０の回転は緩く、即ち前記傾斜ブロック４２が受けた遠心力が小さく、前記傾斜ブロック４２に前記長棒３８を圧迫させることができないのであり、前記第二スイッチ４０は圧迫されていない状態にあり、前記電磁石１３は非通電状態にあり、この時、前記ガラス筒２７は前記上台座３４と前記下台座５４との間にあり、前記第一スイッチ３３を押した後、前記第一灯管２１は独自に発光し、前記ガラス筒２７とともに照明灯として働く。
【００１７】
外部の風速が大きい時、前記測風輪１０の回転は速く、この時、前記第二スイッチ４０は遠心力によって前記長棒３８を圧迫し、前記長棒３８は前記圧迫棒３９を下へスライド連動させ、前記圧迫棒３９に前記第二スイッチ４０を圧迫させ、前記電磁石１３が通電状態になり、且つ前記環状磁石１６を排斥し、前記環状磁石１６は前記環状導電金属片１７と前記第二灯管１８とを下へスライド連動させ、前記環状導電金属片１７と前記第二灯管１８とに前記ガラス筒２７を圧迫させ、前記ガラス筒２７は前記第一スライドチャンバ環状空きチャンバ２３の中に収納され、同時に前記第二灯管１８は前記上台座３４と前記下台座５４との間に位置し、二つの前記環状導電金属片１７はそれぞれ前記正極接点２０と前記負極接点２２と通電可能に連結され、この時、前記第一スイッチ３３を押した後、前記第二灯管１８と前記第一灯管２１とはどちらも光り、光度を増大する。
【００１８】
同時に、前記第一ラック２８は下へ滑り、前記歯車５１によって前記第二ラック４６を上へスライド連動させ、前記第二ラック４６は前記円筒４４と前記環状スライドブロック４８とを上へスライド連動させ、この時、前記反射鏡４５は前記上台座３４と前記下台座５４との間に位置し、前記第二灯管１８と前記第一灯管２１とが放った光を反射でき、光は最終的に射光口５３の中に集められて射出し、探知照明灯を形成する。
【００１９】
本装置は探知照明機能を備える上に、前記摩擦輪３０を回すことで前記円筒４４の回転を連動させることができ、前記円筒４４は前記射光口５３を回転させることによって照明角度を調節できる。
【００２０】
要約すると、本装置の航海灯は、反応が素早く、探知用の照明灯モードと普通の照明灯モードとを切り替えることができ、豊かな機能を有し、また、本発明の装置は、ガラスシェードが自動的に収納でき、安全で丈夫であり、使用寿命も長い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184511.tif 000003
【図２】
2020184511.tif 000004
【図３】
2020184511.tif 000005
【図４】
2020184511.tif 000006
【図５】
2020184511.tif 000007
【手続補正書】
【提出日】令和1年8月22日(2019.8.22)
【手続補正１】
【補正対象書類名】特許請求の範囲
【補正対象項目名】請求項１
【補正方法】変更
【補正の内容】
【請求項１】
正面視で、下台座を含み、前記下台座と甲板との間には支持棒が固定的に連結され、前記下台座の上方には上台座が設置され、前記下台座の右端面と前記上台座とは連結アームで固定され、前記連結アームの中には角度調節機構が設置され、前記角度調節機構は装置の照明角度を調節でき、前記下台座の中には上方に開口したの第一スライドチャンバ環状空きチャンバが設置され、前記第一スライドチャンバ環状空きチャンバの底壁中心には第一円柱が固定的に設置され、前記第一円柱の外表面と前記第一スライドチャンバ環状空きチャンバの内壁との間にはガラス筒がスライド可能に設置され、前記ガラス筒は前記上台座の底面と接触しており、前記ガラス筒の外表面には第一ラックが左右対称に、且つ固定的に設置され、前記第一円柱の頂面には負極接点が固定的に設置され、前記ガラス筒と前記第一スライドチャンバ環状空きチャンバの底壁との間には第一ばねが連結され、前記上台座の中には下方に開口した第二スライドチャンバが設置され、前記第二スライドチャンバの頂壁には電磁石が固定的に設置され、前記第二スライドチャンバの頂壁中心には第二円柱が固定的に設置され、前記第二円柱の底面には正極接点が固定的に設置され、前記正極接点と負極接点との間には第一灯管が通電可能に連結され、通常に前記第一灯管は独自で発光し、前記ガラス筒とともに照明灯として働き、前記第二円柱の外表面と前記第二スライドチャンバの内壁との間には環状導電金属片が上下対称に、且つスライド可能に設置され、二つの前記環状導電金属片の間には第二灯管が通電可能に連結され、前記第二スライドチャンバの下側にある前記環状導電金属片は前記ガラス筒の頂面と接触しており、前記第二スライドチャンバの上側にある前記環状導電金属片の頂面には前記電磁石と排斥する環状磁石が固定的に設置され、前記環状磁石と前記電磁石の底面との間には第二ばねが連結され、前記電磁石は前記環状磁石を排斥して前記環状磁石に前記環状導電金属片を連動させて前記ガラス筒を圧迫させることができ、そして、前記ガラス筒は前記第一スライドチャンバ環状空きチャンバの中に収納されるまで下へ滑り、同時に前記正極接点と前記負極接点とは二つの前記環状導電金属片とそれぞれ接触し、且つ通電可能になり、前記電磁石の頂壁には測風輪作動機構が設置され、前記測風輪作動機構が風速が大きい状況で前記電磁石を通電状態にし、且つ前記電磁石に前記環状磁石を排斥させることができ、前記第一スライドチャンバ環状空きチャンバの外側端壁には上方に開口した第一環状スライド溝が設置され、前記第一スライドチャンバ環状空きチャンバの中には環状スライドブロックがスライド可能に設置され、前記環状スライドブロックの中には上方に開口した第二環状スライド溝が設置され、前記第二環状スライド溝の中には円筒が回転可能に設置され、前記円筒の内壁には反射鏡が固定的に設置され、前記反射鏡と前記円筒の後側端壁とには前後貫通した射光口が設置され、前記角度調節機構は前記円筒を回転させることで前記射光口を回転させ、これによって照明角度を調節でき、前記下台座の中には第一回転チャンバが左右対称に設置され、前記第一回転チャンバは前記第一スライドチャンバ環状空きチャンバと前記第一環状スライド溝とを連通しており、前記第一回転チャンバの中には第一回転軸が回転可能に設置され、前記第一回転軸には前記第一ラックと噛み合った歯車が固定的に設置され、前記環状スライドブロックの頂面には前記歯車と噛み合った第二ラックが固定的に設置され、前記反射鏡が上へ滑り、前記上台座と前記下台座との間に滑った時に前記反射鏡は前記第一灯管と前記第二灯管とが放った光を反射し、最終的に光を射光口に集めて射出し、探知照明灯として働くことを特徴とする航海灯。